(57)【要約】      （修正有）【課題】追加固定する事によってメモ台付き折り畳み式パイプ椅子として使用でき、該椅子を保管する際には、追加固定したメモ台部も椅子に固定したまま折り畳む事を可能とする折り畳み式パイプ椅子用追加メモ台を提供する。【解決手段】メモ台１１と、アームパイプ１２と、コの字パイプ１３とを備えた追加メモ台であって、メモ台下面にはパイプを着脱自在に保持する着脱自在固定具２３を備える。アームパイプの一方はメモ台下面に固定され、もう一方には回動可能固定ジョイント２１を設ける。【選択図】図３
0003173450.tif 000002
【実用新案登録請求の範囲】
【請求項１】
メモ台と、アームパイプと、コの字パイプとを備えた追加メモ台であって、メモ台下面にはパイプを着脱自在に保持する着脱自在固定具を備え、アームパイプの一方はメモ台下面に固定され、もう一方には回動可能固定ジョイントを備え、コの字パイプ上辺部はメモ台下面に着脱自在に固定され、コの字パイプ下辺部には２個の回動可能固定ジョイントを備え、折り畳み式パイプ椅子用追加メモ台を折り畳み式パイプ椅子に固定する際には、アームパイプの一方に配した回転可能固定ジョイントをパイプ椅子前脚上部付近に固定し、コの字パイプの下辺部に配した回動可能ジョイントをパイプ椅子前脚下部付近に固定し、折り畳み時は、コの字パイプの上辺をメモ台下面に配した着脱自在固定具から分離している事を最も主要な特徴とする折り畳み式パイプ椅子用追加メモ台。
【考案の詳細な説明】
【技術分野】
【０００１】
本考案は、既存の折り畳み式パイプ椅子に追加し、折り畳み式パイプ椅子と共に折り畳み可能な折り畳み式パイプ椅子用追加メモ台に関するものである。
【背景技術】
【０００２】
現在、折り畳み式パイプ椅子の需要は多く、研修室、集会場、会議室など多くの場所で使用されている。折り畳み式パイプ椅子には、座面が布製で座面布が曲がって折り畳む横折りタイプと、座面が背もたれと接する様に折り畳む縦折りタイプなどがある。該縦折りタイプの折り畳み式パイプ椅子は、研修室、会議室で使用されることが多い。該縦折りタイプの折り畳み式パイプ椅子の先願としては、実開平１−１７９５４７号公報などがある。
【０００３】
また縦折りタイプの折り畳み式パイプ椅子に対し、メモ台付の折り畳み式パイプ椅子も販売されている。メモ台付の折り畳み式パイプ椅子のメモ台は、メモ台の下面に配した２本のパイプで保持され、一方のパイプは、座面下部周囲に配された周枠パイプに回動可能に固定され、もう一方のパイプは、前脚パイプの上部付近に回動可能に固定されている。この事により、メモ台付の折り畳み式パイプ椅子のメモ台は、折り畳み時には座面とほぼ平行に折り畳む事が可能となっている。
【０００４】
メモ台付の折り畳み式パイプ椅子は、研修や、会議の時、簡単なメモを取る事に有効であり、メモ台付の折り畳み式パイプ椅子を備える研修室や会議室も多くなってきた。ただし、すでに多くの折り畳み式パイプ椅子を所有している研修センターや、会議室管理者、レンタル業者にとって、既に保有している折り畳み式パイプ椅子を廃棄して、新たにメモ台付の折り畳み式パイプ椅子を購入するには、コスト面から、二の足を踏んでいた。
【０００５】
すでに多くの折り畳み式パイプ椅子を所有している研修センターや、会議室管理者、レンタル業者からは、既存の折り畳み式パイプ椅子に対し、メモ台部分を追加組立可能なメモ台が望まれていた。
【０００６】
既存の折り畳み式パイプ椅子に対しメモ台部分を追加組立するものとして、パイプ椅子用テーブル、実用登録第３１３３４９６号公報がある。ただしこのパイプ椅子用テーブルは、パイプ椅子の背もたれの支柱を挟みながらスライドし位置決めするものであり、パイプ椅子を折り畳み保管する際には、パイプ椅子用テーブルを折り畳み式パイプ椅子から取り外して別に保管する必要があった。
【０００７】
上記と同様に、既存の折り畳み式パイプ椅子に対しメモ台部分を追加組立するものとして、パイプ椅子簡易テーブル、特開２００９−１６５７９６号公報もある。これは前脚パイプに２点で固定するものであるが、この方法もパイプ椅子を折り畳み保管する際には、パイプ椅子簡易テーブルを折り畳み式パイプ椅子から取り外して別に保管する必要があった。
【特許文献１】実開平１−１７９５４７号公報
【特許文献１】実用登録第３１３３４９６号公報
【特許文献１】特開２００９−１６５７９６号公報
【考案の開示】
【考案が解決しようとする課題】
【０００８】
本考案は、既存の折り畳み式パイプ椅子に対し、追加固定する事によってメモ台付きパイプ椅子として使用でき、折り畳み式パイプ椅子を折り畳み保管する際には、追加固定したメモ台部も折り畳み式パイプ椅子に固定したまま折り畳む事を可能とする折り畳み式パイプ椅子用追加メモ台を提供することにある。
【課題を解決するための手段】
【０００９】
上記目的を達成するため本考案の折り畳み式パイプ椅子用追加メモ台は、メモ台と、アームパイプと、コの字パイプとを備えた追加メモ台であって、メモ台下面にはパイプを着脱自在に保持する着脱自在固定具を備え、アームパイプの一方はメモ台下面に固定され、もう一方には回動可能固定ジョイントを備え、コの字パイプ上辺部はメモ台下面に着脱自在に固定され、コの字パイプ下辺部には２個の回動可能固定ジョイントを備え、折り畳み式パイプ椅子用追加メモ台を折り畳み式パイプ椅子に固定する際には、アームパイプの一方に配した回転可能固定ジョイントをパイプ椅子前脚上部付近に固定し、コの字パイプの下辺部に配した回動可能ジョイントをパイプ椅子前脚下部付近に固定し、折り畳み時は、コの字パイプの上辺をメモ台下面に配した着脱自在固定具から分離している事を最も主要な特徴とする。
【考案の効果】
【００１０】
本考案の折り畳み式パイプ椅子用追加メモ台は、既存の折り畳み式パイプ椅子に追加固定する事で、メモ台付の折り畳み式パイプ椅子として使用する事ができるようになり、既存の折り畳み式パイプ椅子を有効利用できるようなる。
【考案を実施するための最良の形態】
【００１１】
上記折り畳み式パイプ椅子用追加メモ台を追加固定したパイプ椅子を折り畳み時、コの字パイプを固定する為に、折り畳み時のコの字パイプの上辺部を着脱自在に固定する固定具を備える事が望ましい。
【実施例１】
【００１２】
本考案の実施形態について詳しく説明する。本実施例で説明する形状は、これを限定する物ではない。図１は、折り畳み式パイプ椅子の使用時形態を示す斜視図である。１は前脚パイプを示し、２は後脚パイプ、３は座板、４は周枠パイプ、５は背もたれである。
【００１３】
図２は、折り畳み式パイプ椅子用追加メモ台の斜視図である。１１はメモ台を示し、１２はアームパイプ、１３はコの字パイプ、２１は回動可能固定ジョイント、２２は固定具を示し、２３は着脱自在固定具、２４は回動支点である。また、符号１４から１６はコの字パイプの各部分を示し、１４は上辺部、１５は縦棒部、１６は下辺部である。
【００１４】
着脱自在固定具２３は、Ｕ字から先端が若干狭くなったプラスチック製を使用する事が望ましいが、金属性を使用する場合もある。また、メモ台１１は、木製板材を使用することが望ましいが、プラスチックにて作製する場合もあり、この時は着脱自在固定具２３を一体成形することもある。
【００１５】
図８は、アームパイプ先端部の形態例を示す斜視図である。３１はパイプ先端プレートを示し、３２はボルト、３３はナット、３４は組式バンドＡ、３５は組式バンドＢを示している。ボルト３２、ナット３３、組式バンドＡ３４、組式バンドＢ３５の部品にて回動可能可能固定ジョイント２１をなしている。
【００１６】
パイプ先端プレート３１はアームパイプ１２の先端部をプレス加工にて一体としているが別部品を組付ける場合もある。組式バンドＡ３４と、組式バンドＢ３５にてパイプを挟み込む構造となっている。組式バンドＡ３４と、組式バンドＢ３５にてパイプを挟み込んだ後、ボルト３２、ナット３３にて、組式バンドＡ３４と、組式バンドＢ３５を締め付ける。この時ボルト３２、ナット３３間にカラーパイプを入れる事により、アームパイプ１２に対し、回動可能固定ジョイント２１は、回動支点２４となるボルト３２を中心として回動可能としている。
【００１７】
図３は、図１に対し、折り畳み式パイプ椅子用追加メモ台を追加固定した状態を示す斜視図である。アームパイプ１２の一方に配した回動可能固定ジョイント２１は、前脚パイプ１の上端付近に固定し、コの字パイプ１３の下辺部１６に配した回動可能固定ジョイント２１は、前脚パイプ１の下部に固定されている。
【００１８】
図４は、図３の状態から、コの字パイプ１３の上辺部１４をメモ台１１下面に配した着脱自在固定具２３から外した状態を示す斜視図である。この時メモ台１１とアームパイプ１２は、アームパイプ１２の一方端に備えた回動可能固定ジョイント２１の回動支点２４を中心として、回動可能となっている。また、コの字パイプ１３もコの字パイプ１３の下辺部２１に備えた回動可能固定ジョイント２１の回動支点２４を中心として回動可能となっている。
【００１９】
図５は、図４の状態から折り畳み式パイプ椅子を折り畳んだ状態を示す斜視図である。
【００２０】
図６は、折り畳み式パイプ椅子及び折り畳み式パイプ椅子用追加メモ台を折り畳んだ状態を示す斜視図である。図５の状態からメモ台部、コの字パイプ１３を折り畳む際には、一旦コの字パイプ１３を下方に回転させ、メモ台部の回転に邪魔にならない位置にしてから、次にコの字パイプ１３も回転し折り畳んでゆく。
【００２１】
図７は、図６の状態を異なる方向から見た斜視図である。コの字パイプ１３の縦棒部１５は、メモ台１１の外側に配置されていて、メモ台部とコの字パイプ１３の回転に対し干渉しない位置に配置されている。
【００２２】
図９は、コの字パイプに配した回動可能固定ジョイント部を示す斜視図である。３６は接続プレートを示している。
【産業上の利用可能性】
【００２３】
本考案の折り畳み式パイプ椅子用追加メモ台は、既存の折り畳み式パイプ椅子に追加固定する事で、メモ台付の折り畳み式パイプ椅子として使用する事ができるようになり、既存の折り畳み式パイプ椅子を有効利用できるようなる。
【図面の簡単な説明】
【００２４】
【図１】折り畳み式パイプ椅子の使用時形態を示す斜視図である。
【図２】折り畳み式パイプ椅子用追加メモ台の斜視図である。
【図３】図１に対し、折り畳み式パイプ椅子用追加メモ台を追加固定した状態を示す斜視図である。
【図４】図３の状態から、コの字パイプの一方をメモ台下面の着脱自在固定具から外した状態を示す斜視図である。
【図５】図４の状態から折り畳み式パイプ椅子を折り畳んだ状態を示す斜視図である。
【図６】折り畳み式パイプ椅子及び折り畳み式パイプ椅子用追加メモ台を折り畳んだ状態を示す斜視図である。
【図７】図６の状態を異なる方向から見た斜視図である。
【図８】アームパイプ先端部の形態例を示す斜視図である。
【図９】コの字パイプに配した回動可能固定ジョイント部を示す斜視図である。
【符号の説明】
【００２５】
１    前脚パイプ
２    後脚パイプ
３    座板
４    周枠パイプ
５    背もたれ
１１  メモ台
１２  アームパイプ
１３  コの字パイプ
１４  コの字パイプ上辺部
１５  コの字パイプ縦棒部
１６  コの字パイプ下辺部
２１  回動可能固定ジョイント
２２  固定具
２３  着脱自在固定具
２４  回動支点
３１  パイプ先端プレート
３２  ボルト
３３  ナット
３４  組式バンドＡ
３５  組式バンドＢ
３６  接続プレート
【図１】
0003173450.tif 000003
【図２】
0003173450.tif 000004
【図９】
0003173450.tif 000005
【図３】
0003173450.tif 000006
【図４】
0003173450.tif 000007
【図５】
0003173450.tif 000008
【図６】
0003173450.tif 000009
【図７】
0003173450.tif 000010
【図８】
0003173450.tif 000011